(57)【要約】【課題】器具本体に取り付けられているバンドアの長さを容易に変えることができ、現場における作業工数の低減を図ることができる照明器具を提供する。【解決手段】バンドア３０を構成する各羽根３１の長さを可変としたので、バンドア３０の長さを容易に変えることができ、現場における作業工数の低減を図ることができる。これに伴い、光源２１から発せられた照射光を、バンドア３０により所定の範囲に切る際に、自由度が増す。【選択図】図１
2013026137.tif 000002
【特許請求の範囲】
【請求項１】
器具本体に収容された光源と、
前記光源からの光を所定の範囲に照射するためのバンドアと、を有し、
前記バンドアの羽根の長さを可変とした照明器具。
【請求項２】
請求項１に記載の照明器具において、
前記羽根が折り畳み式で長さが可変である照明器具。
【請求項３】
請求項１に記載の照明器具において、
前記羽根がスライド式で長さが可変である照明器具。
【請求項４】
請求項１に記載の照明器具において、
前記羽根に補助羽根を連結することにより長さが可変である照明器具。
【請求項５】
請求項１に記載の照明器具において、
前記羽根が蛇腹式で長さが可変である照明器具。
【発明の詳細な説明】
【技術分野】
【０００１】
本発明は、舞台やスタジオにおいて所定の範囲に光を照射するためのバンドアを有する照明器具に関するものである。
【背景技術】
【０００２】
従来より、舞台やスタジオにおいて所定の範囲に光を照射するために、バンドアを備えた照明器具が用いられている（例えば、特許文献１参照）。
図９に示すように、特許文献１に記載の照明器具１００では、器具本体１０１に光源１０２が収容されており、器具本体１０１の前端には、４枚の羽根１０３を有するバンドア１０４が取り付けられている。各羽根１０３は、器具本体１０１の外側を囲う回転軸１０５に、取付金具１０６で回転可能、かつ、所望の角度で停止可能に取り付けられており、角度調整可能となっている。
従って、各羽根１０３の角度を任意に調整することにより、光源１０２から広がって照射される光の照射面を切って、光の演出を行う。
【先行技術文献】
【特許文献】
【０００３】
【特許文献１】実開昭６３−１８７２０９号公報（第１図）
【発明の概要】
【発明が解決しようとする課題】
【０００４】
しかしながら、前述したような従来の照明器具１００においては、羽根１０３の長さが商品によって略一定であり、長さが足りない場合がある。このような場合には、現場で、器具本体１０１に取り付けられている羽根１０３の先端に、アルミテープ等によって別の羽根を延長して取り付けることが行われている。
このため、現場における作業工数が増加して、作業効率が低下するという問題があった。
【０００５】
本発明は、従来の問題を解決するためになされたもので、器具本体に取り付けられているバンドアの長さを容易に変えることができ、現場における作業工数の低減を図ることができる照明器具を提供することを目的とする。
【課題を解決するための手段】
【０００６】
本発明の照明器具は、器具本体に収容された光源と、前記光源からの光を所定の範囲に照射するためのバンドアと、を有し、前記バンドアの羽根の長さを可変としたものである。
【０００７】
また、本発明の照明器具は、前記羽根が折り畳み式で長さが可変であるものである。
【０００８】
また、本発明の照明器具は、前記羽根がスライド式で長さが可変であるものである。
【０００９】
また、本発明の照明器具は、前記羽根に補助羽根を連結することにより長さが可変であるものである。
【００１０】
さらに、本発明の照明器具は、前記羽根が蛇腹式で長さが可変であるものである。
【発明の効果】
【００１１】
本発明は、バンドアを構成する羽根の長さを可変としたので、バンドアの長さを容易に変えることができ、現場における作業工数の低減を図ることができる。これに伴い、光源から発せられた照射光を、バンドアにより所定の範囲に切る際に、自由度が増すという効果を有する照明器具を提供できる。
【図面の簡単な説明】
【００１２】
【図１】本発明に係る第１実施形態の照明器具の斜視図
【図２】（Ａ）は第１実施形態の照明器具において延長部を折りたたんだ状態の断面図であり、（Ｂ）は延長部を延長した状態の断面図
【図３】（Ａ）は図２（Ａ）中ＩＩＩＡ部の拡大図であり、（Ｂ）は図２（Ｂ）中ＩＩＩＢ部分の拡大図
【図４】（Ａ）は第２実施形態の照明器具において延長部を折りたたんだ状態の断面図であり、（Ｂ）は延長部を延長した状態の断面図
【図５】（Ａ）はバネ式のスライド支持部の断面図であり、（Ｂ）はネジ式のスライド支持部の断面図
【図６】（Ａ）は第３実施形態の照明器具において延長部を連結する前の状態の正面図であり、（Ｂ）は延長部を連結した状態の正面図
【図７】（Ａ）ははめこみ式の連結手段の断面図であり、（Ｂ）はネジ式の連結手段の断面図
【図８】（Ａ）は第４実施形態の照明器具において羽根を延長する前の状態の断面図であり、（Ｂ）は延長した状態の断面図
【図９】従来のバンドアを有する照明器具の正面図
【発明を実施するための形態】
【００１３】
（第１実施形態）
以下、本発明に係る第１実施形態の照明器具について、図面を用いて説明する。
図１に示すように、本発明に係る実施形態の照明器具１０は、前方が開口（開口部２２）した筒状の器具本体２０を有しており、器具本体２０の内部には、光源であるランプ２１が収容されている。器具本体２０は、全体コ字状の支持部材１１によって、上下方向（図１中矢印Ａ方向）へ回動可能に支持されている。また、支持部材１１は、下部中央の回転軸１２を中心として水平方向（図１中矢印Ｂ方向）に回転可能に支持される。使用時には、回転軸１２がスタンド等の支持部材に回転可能に取り付けられる。
従って、器具本体２０は、上下方向および水平方向で任意の方向へ向くことができ、ランプ２１からの照射光を、所望の方向へ向けることができる。
【００１４】
器具本体２０の前端部には、ランプ２１からの照射光を所定の範囲に切るためのバンドア３０が設けられている。バンドア３０は、４枚の羽根３１を有する。各羽根３１は、器具本体２０の前端部外側に設けられている軸部材３２に、上下方向に回転可能かつ所望の角度で固定可能に取り付けられている。
【００１５】
各羽根３１の少なくとも１枚は長さが可変となっており、各々長さを延長する延長部３３を有する。延長部３３は、羽根３１と同一の部材で形成できるが、異なる材料を用いて形成することもできる。
図２に示すように、延長部３３は、羽根３１の先端に、回動軸３３１を介して回動可能に設けられており、バネ部材３３２（図３参照）により、常時開く方向（図２（Ａ）中矢印Ａ方向）に付勢されている。
なお、回動軸３３１およびバネ部材３３２を一体化したバネ付きの蝶番を用いることもできる。
【００１６】
図２（Ａ）および図３（Ａ）に示すように、折り畳み状態では、延長部３３は羽根３１の裏面側（ランプ２１の照射光が当たらない側）に折りたたまれている。延長部３３の先端にはフック３３３が設けられており、折り畳み状態では、フック３３３を羽根３１の裏面側に設けられているフック受け３１１に引っ掛けて延長部３３を固定する。
フック３３３は、軸３３４の回りに回転可能に設けるようにすれば、延長部３３を伸ばした際に、フック３３３を延長部３３の裏面側に回転させて隠すことができる。
【００１７】
図２（Ｂ）および図３（Ｂ）に示すように、延長部３３を伸ばした状態では、羽根部材３３２が開く方向へ延長部３３を付勢しているので、固定用の部材は、特に設けなくても良い。
また、延長部３３を折りたたむ際には、延長部３３を回動軸３３１回り（図２（Ｂ）中矢印Ｂ方向）に回動させて、フック３３３をフック受け３１１に引っ掛けて固定する。
なお、すでに使用中のバンドア３０の羽根３１の先端に、後付けで前述したような羽根付きの蝶番を取り付けることにより、延長部３３を取り付けることも可能である。これにより、既にある羽根３１を活用することができる。
【００１８】
以上、説明した本発明に係る第１実施形態の照明器具１０によれば、バンドア３０を構成する各羽根３１の長さを可変としたので、バンドア３０の長さを容易に変えることができ、現場における作業工数の低減を図ることができる。
これに伴い、ランプ２１から発せられた照射光を、バンドア３０により所定の範囲に切る際に、自由度が増す。
【００１９】
また、各羽根３１を、折り畳み式で長さを可変としたので、バンドア３０の長さを容易に変えることができ、現場における作業工数の低減を図ることができる。
【００２０】
（第２実施形態）
次に、本発明に係る第２実施形態の照明器具について、図面を用いて説明する。
なお、前述した第１実施形態に係る照明装置１０と共通する部位には同じ符号を付して、重複する説明を省略することとする。
図４（Ａ）および（Ｂ）に示すように、本発明に係る第２実施形態の照明器具１０Ｂのバンドア３０Ｂでは、羽根３１の少なくとも１枚をスライド式で長さを可変とした。
【００２１】
すなわち、羽根３１の先端部（図４において上端部）に、延長部３４をスライド可能（図４（Ｂ）中矢印参照）、かつ、固定可能に支持するスライド支持部３１２を設け、延長部３４を支持する。スライド支持部３１２は、断面コ字状の部材を羽根３１の裏面に取り付けて、延長部３４が内部空間をスライドするようにする。
また、延長部３４には、先端部（図４において上端部）および基端部（図４において下端部）に、スライド支持部３１２から脱落しないように、ストッパ３４１、３４２を設けた。
【００２２】
スライド支持部３１２の固定構造としては、バネ式によるものおよびネジ式によるものが例示できる。
図５（Ａ）に示すように、バネ式のスライド支持部３１２Ａでは、バネ３１３によって延長部３４を羽根３１の裏面に押し付け、延長部３４と羽根３１との間の摩擦力により、延長部３４を支持する。
この場合、延長部３４を必要な長さ引き出すことにより、羽根３１の長さを好きな長さだけ延長できるとともに、手を離しても延長部３４はその長さに支持されるので、非常に作業が容易である。
【００２３】
また、図５（Ｂ）に示すように、ネジ式のスライド支持部３１２Ｂでは、ネジ３１４によって延長部３４を羽根３１の裏面に押し付け、延長部３４と羽根３１との間の摩擦力により、延長部３４を固定する。
この場合、延長部３４を引き出す際には、ネジ３１４を緩め、延長部３４を固定する際には、ネジ３１４を締め付ける。
従って、延長部３４を必要な長さ引き出すことにより、羽根３１の長さを好きな長さだけ延長できるとともに、ネジ３１４を締め付けることにより、延長部３４を確実に固定することができる。
なお、すでに使用中の羽根３１の先端に、後付けで前述したようなスライド支持部３１２Ａを取り付けることにより、延長部３４を取り付けることも可能である。これにより、既にある羽根３１を活用することができる。
【００２４】
以上、説明した第２実施形態の照明器具１０Ｂによれば、羽根３１を、スライド式で長さを可変としたので、バンドア３０Ｂの長さを容易に変えることができ、現場における作業工数の低減を図ることができる。
これに伴い、ランプ２１から発せられた照射光を、バンドア３０Ｂにより所定の範囲に切る際に、自由度が増す。
【００２５】
（第３実施形態）
次に、本発明に係る第３実施形態の照明器具について、図面を用いて説明する。
なお、前述した第１実施形態に係る照明装置１０および第２実施形態に係る照明器具１０Ｂと共通する部位には同じ符号を付して、重複する説明を省略することとする。
図６（Ａ）および（Ｂ）に示すように、本発明に係る第３実施形態の照明器具１０Ｃのバンドア３０Ｃでは、各羽根３１に、連結手段４０により延長部として補助羽根３５を連結することで長さを可変とした。
【００２６】
すなわち、羽根３１の先端部（図６において上端部）に、補助羽根３５を取り付けるために少なくとも２個の連結受け部４１を突出して設ける。
一方、連結される補助羽根３５側には、連結受け部４１により連結される連結部４２を設ける。補助羽根３５を複数個延長方向に連結する場合には、途中部分に連結する連結補助羽根３５Ａと、最先端に連結する終端補助羽根３５Ｂの２種類を用意する。
なお、以後の説明において、特に連結補助羽根３５Ａと終端補助羽根３５Ｂとを区別する場合を除いて、「補助羽根３５」で総称する。
【００２７】
連結補助羽根３５Ａには、基端側（図６中下端側）に連結部４２を設けるとともに、先端側に連結受け部４１を設ける。また、終端補助羽根３５Ｂには、基端側に連結部４２のみを設ける。
図７（Ａ）に示す連結手段４０Ａでは、連結部４２Ａの先端部に、略半球状の係止凸部４２１を設ける。また、連結受け部４１Ａには、連結部４２Ａを受け入れる隙間４１１と、係止凸部４２１を係止する係止凹部４１２を設ける。
従って、補助羽根３５を羽根３１に連結する際には、羽根３１の連結受け部４１Ａの隙間４１１に、補助羽根３５の連結部４２Ａを押し込んで、連結部４２Ａの係止凸部４２１を連結受け部４１Ａの係止凹部４１２に嵌入させて係止する。
また、取り外す際には、補助羽根３５を羽根３１から引き抜く。
【００２８】
なお、連結補助羽根３５Ａにさらに連結補助羽根３５Ａを連結する場合および取り外す場合や、連結補助羽根３５Ａに終端補助羽根３５Ｂを取り付ける場合および取り外す場合も同様である。
これにより、羽根３１の先端に、容易に補助羽根３５を着脱して、バンドア３０Ｃの長さを変えることができる。また、連結補助羽根３５Ａの枚数を変えることにより、バンドア３０Ｃの長さを調整できる。
なお、すでに使用中の羽根３１の先端に、後付けで連結受け部４１Ａを取り付けることにより、補助羽根３５を取り付けるようにすることも可能である。これにより、既にある羽根３１を活用することができる。
【００２９】
また、図７（Ｂ）に示す連結手段４０Ｂでは、連結部４２Ｂの先端部に貫通孔４２２を設け、連結受け部４１Ｂの先端に貫通孔４１３を設ける。また、連結受け部４１Ｂには、連結部４２Ｂを受け入れる隙間４１１を設ける。
従って、補助羽根３５を羽根３１に連結する際には、羽根３１の連結受け部４１Ｂの隙間４１１に、補助羽根３５の連結部４２Ｂを押し込んで、固定ネジ４３を貫通孔４１３および貫通孔４２２に挿入して締め付ける。
また、補助羽根３５を取り外す際には、固定ネジ４３を取り除いて、補助羽根３５を羽根３１から引き抜く。
【００３０】
なお、連結補助羽根３５Ａにさらに連結補助羽根３５Ａを連結する場合および取り外す場合や、連結補助羽根３５Ａに終端補助羽根３５Ｂを取り付ける場合および取り外す場合も同様である。
これにより、羽根３１の先端に、容易に補助羽根３５を着脱して、バンドア３０Ｃの長さを変えることができる。また、連結補助羽根３５Ａの枚数を変えることにより、バンドア３０Ｃの長さを調整することができる。
なお、すでに使用中の羽根３１の先端に、後付けで連結受け部４１Ｂを取り付けることにより、補助羽根３５を取り付けるようにすることも可能である。これにより、既にある羽根３１を活用することができる。
【００３１】
以上、説明した第３実施形態の照明器具１０Ｃによれば、各羽根３１に補助羽根３５を連結することで長さを可変としたので、バンドア３０Ｃの長さを容易に変えることができ、現場における作業工数の低減を図ることができる。
これに伴い、ランプ２１から発せられた照射光を、バンドア３０Ｃにより所定の範囲に切る際に、自由度が増す。
【００３２】
（第４実施形態）
次に、本発明に係る第４実施形態の照明器具について、図面を用いて説明する。
なお、前述した第１実施形態に係る照明装置１０ないし第３実施形態に係る照明器具１０Ｃと共通する部位には同じ符号を付して、重複する説明を省略することとする。
図８（Ａ）および（Ｂ）に示すように、本発明に係る第４実施形態の照明器具１０Ｄのバンドア３０Ｄでは、各羽根３１の一部に蛇腹部４４を設けて、蛇腹部４４を伸縮させることによりバンドア３０Ｄ長さを可変とした。
蛇腹部４４は、羽根３１の先端部に設けることができるが、基端部および中央部に設けることも可能である。
【００３３】
従って、バンドア３０Ｄを伸ばす場合には、蛇腹部４４を引き延ばして平らにする。
また、バンドア３０Ｄを折りたたむ場合には、蛇腹部４４を押し縮める。
【００３４】
以上、説明した第４実施形態の照明器具１０Ｄによれば、羽根３１の少なくとも１枚を蛇腹状に形成して長さを可変としたので、バンドア３０Ｄの長さを容易に変えることができ、現場における作業工数の低減を図ることができる。
これに伴い、ランプ２１から発せられた照射光を、バンドア３０Ｄにより所定の範囲に切る際に、自由度が増す。
【００３５】
なお、本発明の照明器具は、前述した各実施形態に限定されるものでなく、適宜な変形，改良等が可能である。
例えば、上述した長さが可変な羽根３１をバンドア３０のすべての羽根３１に適用することができるが、一部の羽根３１にのみ適用することもできる。
また、各実施形態で示した長さ調整の構造を適用した羽根３１を、混ぜて適用することも可能である。
【符号の説明】
【００３６】
１０、１０Ｂ、１０Ｃ、１０Ｄ  照明器具
２０  器具本体
２１  ランプ（光源）
３０、３０Ｂ、３０Ｃ、３０Ｄ  バンドア
３１  羽根
３５  補助羽根
【図１】
2013026137.tif 000003
【図２】
2013026137.tif 000004
【図３】
2013026137.tif 000005
【図４】
2013026137.tif 000006
【図５】
2013026137.tif 000007
【図６】
2013026137.tif 000008
【図７】
2013026137.tif 000009
【図８】
2013026137.tif 000010
【図９】
2013026137.tif 000011